(57)【特許請求の範囲】
【請求項１】
建物（１）の柱（１ａ）と柱（１a）の間には、横柱（１ｃ）を取り付け、
該横柱（１ｃ）と横柱（１ｃ）の上には、天井（６）を取り付け、
該天井（６）の上には、空気室（３）と空気止（１ｄ）を具備し、
該空気室（３）は、空気を入れた多数の袋（３ａ）と圧力調整袋（３ｂ）で構成されており、
該圧力調整袋（３ｂ）は、床面（２）を設置後に、空気を入れるための空気弁（３ｃ）があり、
該空気止（１ｄ）は、該袋（３ａ）や該圧力調整袋（３ｂ）を囲うものであり、
該空気止（１ｄ）と該空気室（３）の上に、床面（２）を取り付け、
該天井（６）は、該床面（２）に加わった重力を、該空気室（３）が介在することで、圧力に変換して、該天井（６）全体に伝えることを特徴とする床の加圧構造。
【請求項２】
鉄筋の建物（１）は、壁面（１ｄ）と天井（６）を作り、
該天井（６）の上には、空気室（３）と床レベル（１ｆ）を具備し、
該空気室（３）は、空気を入れた多数の袋（３ａ）と圧力調整袋（３ｂ）で構成されており、
該圧力調整袋（３ｂ）は、床面（２）を貼ってから、空気を入れるための空気弁（３ｃ）があり、
該床レベル（１ｆ）は、該袋（３ａ）や該圧力調整袋（３ｂ）を囲うものであり、
該床レベル（１ｆ）と該空気室（３）の上に、床面（２）を取り付け、
該天井（６）は、該床面（２）に加わった重力を、該空気室（３）が介在することで、圧力に変換して、該天井（６）全体に伝えることを特徴とする床の加圧構造。
【請求項３】
鉄筋の建物（１）は、壁面（１ｄ）と床レベル（１ｆ）と略凹型天井（６ａ）を作り、
該略凹型天井（６ａ）は、中央が緩やかに引っ込んで、凹面になっており、
該略凹型天井（６ａ）の上には、空気室（３）を具備し、
該空気室（３）は、空気を入れた多数の袋（３ａ）と圧力調整袋（３ｂ）で構成されており、
該圧力調整袋（３ｂ）は、床面（２）を貼ってから、空気を入れるための空気弁（３ｃ）があり、
前記床レベル（１ｆ）と該空気室（３）の上に、床面（２）を取り付け、
該略凹型天井（６ａ）は、該床面（２）に加わった重力を、該空気室（３）が介在することで、圧力に変換して、該略凹型天井（６ａ）全体に伝えることを特徴とする床の加圧構造。
【発明の詳細な説明】
【技術分野】
【０００１】
本発明は、建物の床を空気を介して天井を補強する、床の加圧構造に関するものである。
【背景技術】
【０００２】
従来の建物の床は、まず基礎をして、横柱をアンカーボルトで固定さし、その上に柱を建てる。その柱の３０センチの所へ横柱を取り付ける。その横柱の上に、大引けを９０センチ間隔で通し、それと直角に交わるように、その上に根太を、４５センチ間隔で並べて固定する。したがって、中央の部分が下に歪むときは、東石の上に床束を用い、補強をしていた。そして、その上にコンパネなどを張って、さらに畳みや絨毯などを張り、その上で生活していた。
【０００３】
また、床の加圧補強構造（特開２０１２−２５１３２０）同じ出願人は、柱を建て、柱から柱に横柱を通し、その横柱の上側には、圧力板を取り付ける。その圧力板の上には、空気室を保つ袋を取り付ける。その上に床面を取り付け、空気室の中に気圧が加わることで、床面は少し圧力で持ち上がった状態である。その床の加圧補強構造の利点は、空気を介することで、重量を圧力に変換して、圧力板に伝わり、圧力板は張力として横柱に伝えるため、軽くできるものであった。それは、パスカルの原理の応用で、閉じ込められてた気体の一部に、加えられた圧力は、全ての方向に同じ圧力で伝わるので、圧力に変換すると小さくなる。また部屋が大きいほど、加わった圧力が小さくなるものであった。
【先行技術文献】
【特許文献】
【０００４】
【特許文献１】実開２０１３−６９０１
【特許文献２】特開２０１２−２５１３２０
【特許文献３】特願２０１０−１９５２５７
【特許文献４】特開２０１０−２４６４６
【特許文献５】特開２０１０−２８１１６４
【特許文献６】特開２００９−２２１６７１
【発明の開示】
【発明が解決しようとする課題】
【０００５】
従来の床の加圧補強構造（特開２０１２−２５１３２０）は、柱を建て、柱から柱に横柱を通し、その横柱の上側には、圧力板を取り付ける。その圧力板の上には、空気室を保つ袋を取り付ける。その上に、床面を取り付け、空気室の中に気圧が加わることで、床面は気圧で持ち上がった状態であった。しかし、圧力板だけに頼るのは、素人目には信頼性にかけるという欠点があった。
【０００６】
また、圧力板には配線をすることができず、配線のために天井を設けるのは、横柱から根太を吊り、吊り天井を設置しなければならない。そうすれば、吊り天井のために強度を保たなければならず、如何に床面が軽くできても、全体ではそれほど軽くはできないことが分かった。
【０００７】
そこで、本発明の床の加圧構造は、天井（６）の上に空気室（３）を具備して、その上に床面（２）があることで、特開２０１２−２５１３２０の床の加圧補強構造より信頼性があり、圧力も１０分の１と少なくして、また天井（６）があることで配線などができる床の加圧構造を提供するものである。
【課題を解決するための手段】
【０００８】
上記目的を達成するために、本発明の床の加圧構造は、建物（１）の柱（１ａ）と柱（１a）の間には横柱（１ｃ）を取り付ける。そして、横柱（１ｃ）と横柱（１ｃ）の上には、天井（６）を取り付け、天井（６）の上の四隅には空気止（１ｂ）を取り付ける。
【０００９】
そして、空気止（１ｂ）で囲まれた天井（６）の上には、空気室（３）を具備し、空気室（３）は空気を入れた袋（３ａ）であり、空気室（３）の上に床面（２）を取り付ける。そして天井（６）は、床面（２）に加わった重力を空気室（３）が介在することで、圧力に変換して天井（６）全体に伝え、部分的に重力が加わることがないことで目標を達成した。
【００１０】
請求項２の床の加圧構造は、鉄筋の建物（１）の壁面（１ｄ）と天井（６）と床レベル（１ｆ）を作り、その天井（６）の上には、空気室（３）を具備している。そして空気室（３）は、空気を入れた袋（３ａ）と圧力調整袋（３ｂ）であり、その空気室（３）の上に床面（２）を取り付ける。
【００１１】
床面（２）の高さは、床レベル（１ｆ）によって決まり、天井（６）は床面（２）に加わった重力を、空気室（３）が介在することで、重力は圧力に変換して天井（６）全体に伝え、部分的に重力が加わることがないことで目標を達成した。
【００１２】
請求項３の床の加圧構造は、鉄筋の建物（１）の壁面（１ｄ）と略凹型天井（６ａ）と床レベル（１ｆ）を作り、その略凹型天井（６ａ）の上には、空気室（３）を具備している。そして空気室（３）は、空気を入れた袋（３ａ）と圧力調整袋（３ｂ）であり、その空気室（３）の上に床面（２）を取り付ける。
【００１３】
床面（２）の高さは、床レベル（１ｆ）によって決まり、略凹型天井（６ａ）の外側の縁が床レベル（１ｆ）になっている。そして、略凹型天井（６ａ）は床面（２）に加わった重力を、空気室（３）が介在することで、重量は圧力に変換して略凹型天井（６ａ）全体に伝え、部分的に重力が加わることがないことで目標を達成した。
【発明の効果】
【００１４】
本発明の床の加圧構造は、次のような効果がある。
（イ）床の加圧構造は、従来の床構造より安価にできる。
（ロ）床の加圧構造は、床面の内部の空気が補強するので、空気は軽い。
（ハ）床の加圧構造は、０．００１パスカル（１００ｍｍＡｑ）の圧力で、１平方メートルあたり１００キログラムを支える。
（ニ）１００ｍｍＡｑの圧力は、人が息を吹いたので、十分の圧力である。
（ホ）床は空気なので、断熱材の変わりをする。
（ヘ）床は空気なので、防音の役目を果たす。
（ト）床は空気なので軽くなると、それを支える壁と柱も軽くなり、ビルでは半分以下の重量になる。
（チ）軽くなると、高層建築も建てやすくなる。
（リ）緩衝材の、空気を閉じ込めたエアーバッグ（プチプチ袋）を空気室に使うと、空気を入れる手間が省ける。
（ヌ）従来の床の加圧補強構造は、天井がなかったため灯りの配線ができなかったが、本発明の床の加圧構造は、天井が付いている。
（ル）略凹型天井は、床の強度は中央が少なくてよいので、中央を薄くすることで天井面の軽量化ができる
（オ）強度偽装のビルは、最上階または、それに続く階を本発明に代えることで解決する。
【図面の簡単な説明】
【００１５】
【図１】図は、建物の断面図である。
【図２】柱と横柱の斜視図である。
【図３】横柱の上に天井を取り付けた斜視図である。
【図４】天井の上に空気止を取り付けた斜視図である。
【図５】空気止の内側に、空気室を取り付けた斜視図である。
【図６】圧力調整袋を置いたところの斜視図である。
【図７】空気室の上に床面を取り付けた斜視図である。
【図８】請求項２の、鉄筋コンクリートの断面図である。
【図９】請求項２の、床面を取り付ける前の斜視図である。
【図１０】請求項２の、袋をならべたところの斜視図である。
【図１１】請求項２の、圧力調整袋を置いたところの斜視図である。
【図１２】請求項２の、床面を張ったところの斜視図である。
【図１３】請求項３の、鉄筋コンクリートの断面図である。
【図１４】請求項３の、鉄筋をあらわした模式図である。
【図１５】床面の上に、１０トンの荷物を置いた断面図である。
【発明を実施するための最良の形態】
【００１６】
本発明の床の加圧構造は、建物（１）の柱（１ａ）と柱（１a）の間には横柱（１ｃ）を取り付け、横柱（１ｃ）と横柱（１ｃ）の上には、板によって天井（６）を取り付ける。その天井（６）は、下の階では天井（６）なので、天井（６）と呼んでいる。そして天井（６）はコンクリート、デッキプレート、波甲板、溝甲板などどれでもよいが、強度があまり要らないのが利点である。
【００１７】
なぜなら、この床の加圧構造は、床面（２）の一部に加わった重り（５）の重力を、空気室（３）が介在することで、一部に加わった重力を部屋一杯に伝えるので、部屋全体の面積が、加わった重力を分散する。つまり、部屋の大きさに反比例して、部屋が大きくなれば大きくなるほど、空気室（３）に掛かる圧力は小さくなり、天井（６）に加わる部分的な重力は軽くなる。つまり、重り（５）１０トンを１平方メートルで支えると、１平方センチあたり１キログラムの重量が加わるが、１００平方メートルで支えると１０グラムになる。
【００１８】
したがって、従来の床面は、部分的に重力が加われば、その重力に耐えるだけの強度がなければならないが、本発明では空気室（３）が介在することで、部分的に加わる圧力は小さく、加わる圧力はそのまま重力として天井（６）に伝える。つまり、従来の根太で伝える方法は、重力をそのまま伝えるが、本発明は空気室（３）を介して、天井（６）全体で伝えるからである。
【００１９】
その天井（６）の四角の上には、空気止（１ｂ）がある。その空気止（１ｂ）は、空気室（３）の空気または窒素ガスなどの不燃性ガスの、袋（３ａ）が外に出ないように設置してあるのと、床面（２）を取り付けるために、床面レベルの設置場所を上げている。
【００２０】
そして、空気止（１ｂ）で囲んだ中には、空気室（３）を具備し、空気室（３）は空気を入れた袋（３ａ）であり、その袋（３ａ）は複数のでもよい。一枚の袋（３ａ）にすると高価になり、また袋（３ａ）に穴が開いたときに、床面（２）を除けて復旧工事をしなければならない。しかし、多数の袋（３ａ）では、空気が漏れたときに、その他の袋（３ａ）が代わりをするので少し引っ込むが、圧力調整袋（３ｂ）を利用して床面（２）を正常に保つ。
【００２１】
その最後の袋（３ａ）は圧力調整袋（３ｂ）であり、圧力調整袋（３ｂ）には気体を注入する空気弁（３ｃ）の注入口が付いている。そして、床面（２）を設置後に、空気弁（３ｃ）から空気を入れるため、床面（２）には穴が開いており、そこから空気弁（３ｃ）を出し、そこから空気を入れる。
【００２２】
そして、空気室（３）の上に床面（２）を貼り、床面（２）の空気止（１ｂ）の上に、ボルトや接着剤などで、動かないように固定して取り付ける。その床面（２）は、重り（５）を乗せたとき、歪むのを特徴としている。そして、床面（２）が下がっている場合には、圧力調整袋（３ｂ）の中へ空気弁（３ｃ）から気体を送り込み、適度な脹らみにする。
【００２３】
その天井（６）は、床面（２）に加わった重力を、空気室（３）が介在することで、圧力に変換して、天井（６）全体と、側面の空気止（１ｂ）と、床面（２）を下から支えている。したがって、重り（５）が一部に加わっても、空気室（３）が介在すると、その部屋の広さに凡そ反比例して、部屋が大きくなると圧力は小さくなる。また、部屋が小さいと、圧力が高くなり、最後には部屋が小さいと重り（５）の重量が、そのまま圧力に代わることもある。
【００２４】
請求項２の床の加圧構造は、鉄筋の建物（１）で、建物（１）は壁面（１ｄ）と天井（６）と床レベル（１ｆ）を、コンクリートを流し込むことで作る。その天井（６）の上には、空気室（３）を具備していて、空気室（３）は気体を入れた袋（３ａ）であり、最後の１つは圧力調整袋（３ｂ）で、空気弁（３ｃ）より空気を入れることができる。しかし、気体は床面（２）を貼ってから圧力調整袋（３ｂ）を膨らませる。そして空気室（３）の上の、床レベル（１ｆ）に床面（２）を取り付ける。
【００２５】
空気室（３）は多数の袋（３ａ）であり、空気調整用の空気室（３）は、圧力調整袋（３ｂ）を床面（２）の下に具備し、床面（２）を貼ってから、空気弁（３ｃ）から空気を入れ、圧力調整袋（３ｂ）に加わった圧力は、空気室（３）全体の袋（３ａ）の気圧になる。
【００２６】
そして天井（６）は、床面（２）に加わった重力を、空気室（３）が介在することで、圧力に変換する。さらに、天井（６）全体に伝えることで、天井（６）を軽くできるものである。例えば、１０トンの重り（５）を部屋に中央に置くと、従来の強度は１０トンの重り（５）に耐えるように、梁を強くしなければならない。
【００２７】
しかし本発明では、加わった１０トンの重り（５）の重力は、圧力に変換される。そして、その部屋の広さに反比例して、その重量を部屋の広さで支えるため、部屋の広さで分けるため、部分的にはその圧力だけを支える強度でよい。具体的に言えば、従来は１０トンがそのまま梁に伝わるが、本発明では部屋全体で１０トンを支えることになり、その部屋が１００平方メートルなら１平方センチあたり１０グラムを伝えることになる。また、空気が介在することで、下の階に振動が伝わらないし、空気を介在することで保温性もある。
【００２８】
請求項３の床の加圧構造は、鉄筋の建物（１）で、建物（１）は壁面（１ｄ）と略凹型天井（６ａ）と床レベル（１ｆ）を、コンクリートを流し込むことで作る。その略凹型天井（６ａ）の上には、空気室（３）を具備していて、空気室（３）は気体を入れた袋（３ａ）である。そして、最後の１つは圧力調整袋（３ｂ）で、空気弁（３ｃ）より空気を入れることができる。しかし、気体は床面（２）を貼ってから、圧力調整袋（３ｂ）を膨らませる。そして空気室（３）の横の、床レベル（１ｆ）に床面（２）を取り付ける。
【００２９】
空気室（３）は多数の袋（３ａ）であり、空気調整用の空気室（３）は、圧力調整袋（３ｂ）を床面（２）の下に具備し、床面（２）を貼ってから、空気弁（３ｃ）から空気を入れ、圧力調整袋（３ｂ）に加わった圧力は、空気室（３）全体の袋（３ａ）の気圧になる。
【００３０】
そして略凹型天井（６ａ）は、床面（２）に加わった重力を、空気室（３）が介在することで、圧力に変換する。さらに、略凹型天井（６ａ）全体に伝えることで、略凹型天井（６ａ）を軽くできるものである。その上、略凹型天井（６ａ）は中央が薄くなっており、天井の強度を計算すれば、中央は重り（５）だけの重量しか加わっていないが、壁面（１ｄ）に近いところの周囲では、略凹型天井（６ａ）の重さも加わるので、厚くなっている。
【実施例１】
【００３１】
以下、本発明の実施例について、図面を参照して説明する。
図１の断面図は、二階立ての建物（１）の、二階の床面（２）を横から見た図である。その図は、縦８メートル、横１０メートル、高さ９メートルの２階建てである。そして床面（２）は、地上から４メートルの高さにある場合を説明する。
【００３２】
地上から柱（１ａ）が４本建っており、その柱（１ａ）を横柱（１ｃ）４本で支え、横柱（１ｃ）の上に天井（３ａ）が具備されている。天井（６）には、空気止（１ｂ）が設置されているが、空気止（１ｂ）がなくても外装が兼ねるので、取り付けない場合もある。その代わり、空気室（３）の高さを維持するため、柱（１ａ）に固定するなどの工夫が必要である。そして、その中に空気室（３）を取り付け、その上に床面（２）を取り付けてある。
【００３３】
その空気室（３）は、厚みのあるゴミ袋で２０年くらいの耐久性があり、ゴムボートのような材質でできた物は、空気取入口もゴムボートと同じものでよく、人間の吹き込む圧力で、気圧３０００ｍｍＡｑの圧力はだせる。また、空気室（３）は１個にする必要はなく、適当に入った空気室（３）の袋（３ａ）を、床面（２）が上昇しないように分量を計算して取り付ける。
【００３４】
そして、空気室（３）の上に圧力調整袋（３ｂ）を取り付けて、その圧力調整袋（３ｂ）は空気が入っていない物を用意する。そして、床面（２）を貼った後で、その圧力調整袋（３ｂ）の空気弁（３ｃ）を介して空気を送ると、前に入れた空気室（３）も圧力調整袋（３ｂ）が膨れるため、圧力調整袋（３ｂ）に押されて圧縮する。すると空気室（３）全体が、平均的に圧力が加わる。そして、床面（２）の気圧１０００ｍｍＡｑの圧力で、中央は約１０ミリ持ち上がり、微かな凸面になる。したがって、床面（２）の弾力が１０００ｍｍＡｑの圧力で、中央が１０ミリ下がるくらいがよい。
【００３５】
一方、天井（３ａ）は空気室（３）を介して床面（２）があるため、天井（３ａ）が従来のものより強度が弱くできていてもよい。その天井（６）に加わる圧力は、重力全体が圧力に変換され、圧力は天井（６）面全体で支えるため、圧力はほんの少し高くなるだけであるから、部分的に重力は伝わらず、天井（６）全体で支えることになる。
【００３６】
まず、作り方の説明をする。
図２の斜視図は、４方に柱（１ａ）を建て、柱（１ａ）に横柱（１ｃ）を取り付けたところである。したがって、天井（６）を取り付けると、横柱（１ｃ）に天井（３ａ）が受けた重力が加わり、その重力は４本の横柱（１ｃ）から、４本の柱（１ａ）に伝わり、地面へと伝わる。その柱（１ａ）と横柱（１ｃ）は、角パイプで、厚みが４．５ミリの一辺が１５０ミリの物を使用している。柱（１ａ）と横柱（１ｃ）の接合は、溶接やボルトなどで止めるためにブラケットや、補強のための斜交いなども要るが、そのことはこの発明には関係ないので省略している。
【００３７】
図３の斜視図は、横柱（１ｃ）の上に、４隅の柱（１ａ）に当たるところを取り除いて、天井（６）を取り付けたところである。その図は、デッキプレートを８メートルの長さで１０メートルの幅で取り付けたところである。その他、波甲板やＣ管を隙間なく並べて取り付け、その強度は通常のものより弱くてよい。目安としては、人が乗って落ちないぐらいの強度があれば十分である。
【００３８】
その天井（６）の下側に、石膏ボードなどを貼り、配線や水道や下水などは、天井（６）の上の面に取り付けることができ、天井（６）に穴を開けて下の階の配線をする。上の階の水道や下水は、天井（６）面に固定して、床面（２）は動くように、緩衝材を介して取り付ける。そうすると、天井（６）に固定した床面（２）が、空気室（３）に乗ったとき、重力で自由に動くのを緩衝材のゴムが、内部の袋（３ａ）を食み出さないようにしている。
【００３９】
図４の斜視図は、天井（６）の上に空気止（１ｂ）を取り付けたところである。この空気止（１ｂ）は角材でできており、空気止（１ｂ）と天井（６）のデッキプレートの間に詰め物をしておく。詰め物は、発泡スチロールや新聞紙を丸めたものでもよい。
【００４０】
また空気止（１ｂ）は、横柱（１ｃ）と同じ大きさになっているから、１辺が１５０ミリで、空気止（１ｂ）の上面は１５０ミリで、床面（２）を取り付ける場所である。そして、現在の空気室（３）の容量は１２キロリットルであるが、空気止（１ｂ）の高さが高くなれば、空気室（３）も容量が大きくなる。また、空気止（１ｂ）の高さが低いときに、重り（５）を乗せて、重量をかけて床面（２）が天井（６）に接触しなければよい。
【００４１】
しかし接触すれば、床面（２）に加わった重り（５）の重量が、そのまま天井（６）に伝わる訳ではない。天井（６）と床面（２）が接触したときに、そこから重り（５）の重量が加わるので、重り（５）の重量から床面（２）が天井（６）と接触するまでの力を差し引いた、残りの重量が天井（６）に伝わる。したがって、空気室（３）が余りに薄いときには、天井（６）は人が乗っても壊れない程度の強度では、加わる重力によって天井（６）は崩壊する。
【００４２】
また重り（５）によって、接触した場所から振動が伝わり、騒音が漏れていたが、空気止（１ｂ）を厚みの厚いものにして、空気室（３）の袋（３ａ）を厚くすることで、床面（２）と天井（６）が接触することがなくなり、防音性を保つ。したがって、床面（２）がくっ付かないようにするのは、空気止（１ｂ）の高さを高くして、空気室（３）を厚くすることと、床面（２）の弾力が強いもので、床面（２）と天井（６）の緩衝を防ぐ。
【００４３】
その床面（２）の弾力は、重力が加わったときの曲げの抵抗と、空気止（１ｂ）の上に固定した床面（２）の引っ張り抵抗があり、どちらも床面（２）が支える力には成っていない。しかし床面（２）が硬くなり、重量の加わる範囲を広くすることに貢献しているので、空気室（３）で支えている。
【００４４】
図５の斜視図は、空気止（１ｂ）で囲った中に、空気室（３）の６キロリットル入る袋（３ａ）を、半分の３キロリットルの空気を入れたものを、４個並べたところである。中に入れるのはゴミ袋などでよく、ゴミ袋（３ａ）は７５リットルの物が多いので、４０リットルずつ入れると、１５０個の袋（３ａ）になる。袋（３ａ）は、空気を入れるが、空気の入れる量は半分くらいがよい。それは、空気を一杯注ぎこむと、袋（３ａ）の空気が独立してしまい、隣の袋（３ａ）に圧力が加わったとき、隣にその力を伝達せずに、その袋（３ａ）だけで処理してしまうからである。
【００４５】
また、緩衝材等に使用されている、空気を閉じ込めたプチプチ袋（エアーバッグ・気泡緩衝材）もよい。そのプチプチ袋は、市販しているものは５ｃｃくらいであったが、空気を入れたものが１個１００ｃｃあるような大きな物を作り、中央が歪むのを予想して、中央を２枚重ね、３枚重ねとする。
【００４６】
プチプチ袋は、細かく空気の袋（３ａ）が独立してあり、その空気の袋（３ａ）一つを圧縮するように、床面（２）が押されて圧縮すると、その袋（３ａ）の空気は、隣の袋（３ａ）を横に押し、そのようなことを続けて全体が圧縮されるので、空気室（３）の構造は色々にできる。
【００４７】
したがってプチプチ袋は、空気が半分ぐらい入ったもので、袋（３ａ）と袋（３ａ）が接触しているものが条件である。そのため、プチプチ袋は表同士を重ねて、裏面の硬いところは表面に出す。すると、加わった圧力は横のプチプチ袋（３ａ）に伝わって、３キロリットル入る袋（３ａ）と同様の働きをするが、あまりにも空気室（３）の容量が小さいと袋（３ａ）のナイロンが抵抗となり、完全に圧力を伝えなくなる。
【００４８】
例えば、部屋の角に重り（５）を乗せて、反対側の角は圧力が均等に伝わるのが本来の条件であるが、圧力が袋（３ａ）のナイロンに吸収されて伝わらないこともある。例えば、部屋の角に１０トンの重り（５）を乗せ、圧力で１２５ｍｍＡｑ上昇しても、もう一方の部屋の角は約１０メートル離れているので圧力がそのまま伝わることは考え難い。そのため、プチプチ袋（３）のナイロンにその圧力が吸収され、圧力が反対側の角に伝わるまでには５秒ぐらいはかかる。しかし、重り（５）の重量を、広い範囲に伝えるのは確かである。
【００４９】
図６の斜視図は、圧力調整袋（３ｂ）を置いたところの斜視図である。圧力調整袋（３ｂ）はビーチボールやゴムボートや浮き輪など、空気の入る物なら何でもよいが、図面では浮き輪にした方が分かりやすいので、浮き輪にした。
【００５０】
その圧力調整袋（３ｂ）には、空気弁（３ｃ）が付いており、床面（２）を貼った後で、空気を入れ、圧力を調整する。圧力調整袋（３ｂ）は、周りの袋（３ａ）を押しのけて空気が入り、その押しのけられた袋（３ａ）は圧縮されることになり、圧力調整袋（３ｂ）に加わった圧力は、空気室（３）全体の圧力と同じであるのが、この発明の特徴である。
【００５１】
では、空気止（１ｂ）の上面と同じぐらいになってから、空の空気室（３）の圧力調整袋（３ｂ）を取り付けた。その圧力調整袋（３ｂ）には、後から空気を注ぎ込むための空気弁（３ｃ）が付いている。その空気弁（３ｃ）は、床面（２）に開けた穴から、床面（２）の上に出し、そこから空気を入れるもので、空気弁（３ｃ）は空気を入れる枝管と逆止弁または弁からできている。
【００５２】
そして床面（２）を張ってから、空の圧力調整袋（３ｂ）に空気を入れて圧力を加え、圧力を１００ｍｍＡｑ（Ｈ２Ｏ）に保つ。すると周りの袋（３ａ）も、圧力調整袋（３ｂ）に押されて同じ圧力になる。その最後の１個の圧力調整袋（３ｂ）は、ビーチボールのように、空気の出入口の空気弁（３ｃ）が付いている物がよい。
【００５３】
図７の斜視図は、床面（２）の上に空気室（３）の袋（３ａ）を乗せて、その上に床面（２）を取り付けたところである。床面（２）は弾力のある、硬いものなら何でもよいが、硬い物は費用も掛かるし、厚みが厚くなるのでコンパネぐらいの強度を予定している。その床面（２）は、８メートルと１０メートルもあるため、コンパネ２層をずらして取り付け、一枚物にする。また、フローリングは根太が要るが、根太が袋（３ａ）を傷付けないようにする必要がある。
【００５４】
また鉄板なら３ｍｍぐらいでよく、鉄板なら溶接もできる。さらにアルミ板なら軽く、３ｍｍぐらいの焼入れの入ったものがよい。そして床面（２）の縁の、空気止（１ｂ）のところをネジ釘などで止め、張力で床面（２）が歪むのを止めている。そして空気弁（３ｃ）より空気を入れ、空気の圧力が１００ｍｍＡｑ（Ｈ２Ｏ）になるまで空気を入れる。
【００５５】
さらに、フローリングは根太が要るが、通常の厚みが１２ミリのものから、厚みが３０ミリのものならなおよい。そのときには、空気室（３）を傷付けないように、空気室（３）の上に絨毯のような緩衝材を入れて、フローリングを取り付ける。
【００５６】
その空気は、人間が吹き込んでも十分な圧力であるが、人間が吹き込むのは容量が大きすぎるため、コンプレッサーを使用する。圧力が１００ｍｍＡｑ（Ｈ２Ｏ）まで上昇すると、空気室（３）全体の袋（３ａ）も気圧が上昇し、床面（２）の中央は多少上昇する。床面（２）の中央で、１センチ上るぐらいの強度を持った床面（２）がよい。
【００５７】
天井（５）面全体では８トンの圧力が加わり、床面（２）も同じく８トンの圧力が下から伝え、中央は盛り上がる。それは全体に掛かる圧力で、圧力は１平方センチあたり１０グラムである。そして、１０トンの重り（５）を乗せても、加わる圧力は２２５ｍｍＡｑになり、１２５ｍｍＡｑ（Ｈ２Ｏ）上昇するだけである。そして壁面を取り付け、図１の断面図のようになる。
【実施例２】
【００５８】
請求項２の、鉄筋コンクリートで建設した場合を説明する。
図８は、鉄筋コンクリートで作った建物（１）の断面図である。鉄筋コンクリートは、天井（６）も壁面（１ｄ）も同時に、または時期をずらしても同じように設置できるものである。したがって、壁面（１ｄ）も天井（６）も同じ斜線を引いている。そして、空気室（３）の端の空気止（１ｂ）は、ここでは床レベル（１ｆ）として書いてある。
【００５９】
この床レベル（１ｆ）は、床面（２）を貼ったときに、床面（２）の縁が床レベル（１ｆ）に上にあり、そこを固定することで床面（２）の高さが決まるものである。固定する方法としては、接着剤で固定する方法と、ホールインアンカーで固定する方法と、コンクリートを流し込む前の、最初からネジを埋め込み、そのネジを利用して固定する方法などがある。
【００６０】
建設方法を説明する。
図９は、空気室（３）と床面（２）を取り付ける前の斜視図である。床レベル（１ｆ）は、天井（６）面に約２０センチの段差を付けて、その上に床面（２）が乗る予定である。したがって、２０センチが空気室（３）の厚みである。この２０センチの厚みは、縦８メートルの横１０メートルの、容量は１６立方メートルである。
【００６１】
しかし厚み１０センチでも、乗せる重り（５）や人などが、一箇所に固まって、床面（２）の歪が天井（６）とくっ付かない限りは、１０センチでもよい。もし、床面（２）と天井（６）が緩衝すると、音が下の階に響く。なお、接触して天井（６）が崩壊するのは、床面（２）に接触する何倍もの重力が加わったときで、その時には壁面（１ｄ）が崩壊するぐらいの重力が加わったときである。したがって、床面（２）と天井（６）が接触してときには、音の伝わり方で分かる。
【００６２】
図１０は、空気室（３）の袋（３ａ）を並べたところの斜視図である。その袋（３ａ）は、４００リットルの袋の中に、２００リットルの空気を入れ、全体では８０個の袋（３ａ）を入れたところである。計算では、２００リットルで８０個の袋（３ａ）では、均等に並べると袋（３ａ）の高さが床レベル（１ｆ）と同じになる。そのときの袋（３ａ）の圧力は０ｍｍＡｑ（Ｈ２Ｏ）で、大気と同じである。
【００６３】
また、緩衝材の空気を閉じ込めたプチプチ袋（エアーバッグ・気泡緩衝材）があった。そのプチプチ袋の、袋（３ａ）が１個１００ｃｃあるような物を作り、中央が歪むのを予想して、中央を２枚重ね、３枚重ねとする。プチプチ袋は、細かく袋（３ａ）が独立してあり、その袋（３ａ）一つを圧縮するように、床面（２）が圧縮すると、その袋（３ａ）の空気は、隣の袋（３ａ）を横に押し、全体が圧縮されるので、空気室（３）の構造は色々にできる。
【００６４】
したがってプチプチ袋は、空気が半分ぐらい入ったもので、袋（３ａ）と袋（３ａ）が接触しているものが条件である。そのため、プチプチ袋は表同士を重ねて、裏面の硬いところは表面に出す。すると、加わった圧力は横のプチプチ袋（３ａ）に伝わって、３キロリットル入る袋（３ａ）と同様の働きをするが、あまりにも袋（３ａ）の容量が小さいと、袋（３ａ）のナイロンが抵抗となり、完全に圧力を伝えなくなり、完全に圧力を伝えるのは５秒後となる。
【００６５】
図１１は、圧力調整袋（３ｂ）を取り付けたところの斜視図である。その圧力調整袋（３ｂ）は何でもよいが、自動車のチューブや浮き輪がイメージし易いので浮き輪にしたが、ビーチボールのように中央に何も付いていないものがよい。そして、圧力調整袋（３ｂ）は空であり、床面（２）を貼ってから空気を入れる。
【００６６】
空気室（３）の空気は１６立方メートルで、１６０リットルの空気を入れると１００分の１の加圧で、約０．０００１パスカルの、１００ｍｍＡｑ（Ｈ２Ｏ）の圧力があり、１平方メートルあたり１００キログラムの支える力となる。また、１．６平方メートルの空気を圧力調整袋（３ｂ）に入れると、１０分の１の加圧で約１０００ｍｍＡｑ（Ｈ２Ｏ）になり、１平方メートルで１トンを支える。
【００６７】
またプチプチ袋の場合は、加わった圧力は横のプチプチ袋（３ａ）に伝わって、３キロリットル入る袋（３ａ）と同様の働きをするが、あまりにも空気室（３）の容量が小さいと袋（３ａ）のナイロンが抵抗となり、完全に圧力を伝えなくなる。例えば、部屋の角に重り（５）を乗せて、反対側の角は圧力が均等に伝わるのが本来の条件であるが、圧力が袋（３ａ）のナイロンに吸収されて直ぐには伝わらないこともあるので、圧力調整袋（３ｂ）は部屋の中央に置き、重り（５）の重量を、広い範囲に伝えるのがこの発明の特徴である。
【００６８】
図１２は、床面（２）を取り付けたところの斜視図である。床面（２）は床レベル（１ｆ）の上に乗り、空気室（３）の空気は、何も乗せていないところで水平である。そして、床面（２）の床レベル（１ｆ）に乗っている部分を、アンカーボルトや接着剤などで固定し、空の圧力調整袋（３ｂ）の中に、空気弁（３ｃ）を介して空気を入れる。
【００６９】
すると、圧力調整袋（３ｂ）は、隣の袋（３ａ）を押しのけ、押された部分が圧縮される。そして、圧力調整袋（３ｂ）に加わった圧力は、空気室（３）全体に伝わるため、全体に空気を入れたことになるので、圧力調整袋（３ｂ）の圧力が、空気室（３）全体の圧力である。したがって空気室（３）が、、従来の根太の役目を果たすため、根太は部分的に支えていたが、空気室（３）は全体を支えている。
【実施例３】
【００７０】
図１３は請求項３の、鉄筋コンクリートで略凹型天井（６ａ）を作った場合を、断面図を参照して説明する。鉄筋コンクリートは、略凹型天井（６ａ）も壁面（１ｄ）も同時または、時期をずらしても同じように設置できるものである。したがって、壁面（１ｄ）も略凹型天井（６ａ）も、同じ斜線を引いている。そして、空気室（３）の端の空気止（１ｂ）は、ここでは床レベル（１ｆ）として書いてある。図面では床レベル（１ｆ）は、両方の壁面（１ｄ）の側にあるが、実際には部屋を１周している。
【００７１】
この床レベル（１ｆ）は、床面（２）を貼ったときに、床面（２）の縁が床レベル（１ｆ）に上にあり、そこを押さえることで床面（２）の高さが決まるものである。押さえる方法としては、接着剤で固定する方法と、ホールインアンカーで固定する方法と、コンクリート（６ｅ）を流し込む前の、最初からネジをコンクリートで埋め込み、そのネジを利用して固定する方法などがある。
【００７２】
床レベル（１ｆ）は、略凹型天井（６ａ）面と同じ高さになっており、その上に床面（２）が乗る。しかし、略凹型天井（６ａ）は緩やかに、中央が引っ込んでおり、凹面になっている。したがって、請求項２の天井（６）の厚みが２０センチなら、略凹型天井（６ａ）の中央は５センチの厚みであるから、略凹型天井（６ａ）の中央の厚みは１５センチで、１５センチ分軽くなる。
【００７３】
この製造方法は簡単で、図１４の模式図は、中に入れる鉄筋（６ｂ）を２層とし、下の鉄筋（６ｂ）を型枠（６ｃ）の上に、水平の格子状に並べる。その鉄筋（６ｂ）は、左右に１本しか書かれていないが、格子状にたくさんあり、その下の丸が１１個書かれており、その丸は前後に伸びる鉄筋（６ｂ）の断面である。そして型枠（６ｃ）は、ジャッキ（６ｄ）で支えられ、斜めの斜線は略凹型天井（６ａ）だけを強調するため、その他の所には書いていない。そして、その鉄筋（６ｂ）の上側にある鉄筋（６ｂ）は、床レベル（１ｆ）の高さからコンクリート（６ｅ）の厚みを差し引いた高さに設置し、そこから引力で垂れ下がると、緩やかな凹面になる。その鉄筋（６ｂ）も、下の鉄筋（６ｂ）と同じように格子状になっており、コンクリート（６ｅ）を流し込むと略凹型天井（６ａ）ができる。
【００７４】
この略凹型天井（６ａ）の上面の仕上がりは、上に空気室（３）が設置されるので、多少の凸凹はあってもよい。そして型枠（６ｃ）は、コンクリート（６ｅ）が固まると撤去する。この方法だと、天井（６）を４０％軽くすることができ、４０％の軽量は、高層建築には貴重な技術である。この後、空気室（３）や床面（２）の取り付け方法は、請求項２と同じであるため、説明は省く。
【実施例４】
【００７５】
図１５の断面図は、１０トンの重り（５）を机（４）の上に乗せたところである。重り（５）の１０トンは机（４）の足４本に支えられ、床面（２）は重さで下に下がり、点線が重り（５）を乗せていない状態である。従来の建物では、１０トンを支えるように、梁を作っていなかった。もし１０トンを根太で支えるとしたら、根太の太さは一辺が２０センチあっても強度が保てる保障はないし、無謀であった。そして、乗せるとしたら梁は、想到の堅固さが必要である。そこで本発明は、机（４）は１辺１メートルで、１０トンの重り（５）は、約３メートルの範囲に影響するものとして説明する。
【００７６】
３メートルの範囲は９万平方センチであり、１０トンを９万で割ると、１センチあたり約１１１グラムが加わるが、圧力の上では１００ｍｍＡｑ（Ｈ２Ｏ）が、縦８メートルの横１０メートルの範囲で消化するため、圧力は１平方センチあたり１２．５グラム掛かり、圧力は２２５ｍｍＡｑ（Ｈ２Ｏ）である。
【００７７】
このとき床面（２）の面積は、８メートル架ける１０メートルであるため、８０万平方センチであり、１００ｍｍＡｑ（Ｈ２Ｏ）の圧力は２２５ｍｍａｑ（Ｈ２Ｏ）に上昇して、机（４）の端の床面（２）は、強度により十分耐える。そして、何も重力が加わっていないところよりは多少下がり、その下がった外側にも圧力が同等に加わっている。
【００７８】
そのため、２２５ｍｍａｑ（Ｈ２Ｏ）に圧力が上昇し、何も重り（５）が作用していないところは少し盛り上がる。したがって、床面（２）は強度が大切で、１０トンの物を一辺３メートルで支えるよりは、５メートルの範囲で支える方が、１平方センチで４０グラムとなってよいので、空気室（３）の厚みを薄くすることができる。
【実施例５】
【００７９】
床の加圧構造の符号について、詳細な説明をする。
建物（１）は、図面では小さいものを書いているが、住居、体育館など比較的部屋が大きな建築物が、この発明の得意とするところで、建物（１）全体をさす。
柱（１ａ）は、地面との繋がるところで、全ての重力は柱（１ａ）を通して地面に伝わるところで、この図では４本書かれている。
空気止（１ｂ）は、袋（３ａ）や圧力調整袋（３ｂ）が囲いから漏れないように、空気室（３）の端に具備してあり、横柱（１ｃ）と同様な物であるが、強度は要らないので木材などを予定している。また請求項２の建物は、床レベル（１ｆ）としているが、同じ性質の物である。
横柱（１ｃ）は、柱（１ａ）と柱（１ａ）を止めるためのものであり、横柱（１ｃ）の上に天井（６）があり、天井（６）を支えているもので、図面では４本書かれている。
【００８０】
壁面（１ｄ）は、請求項２と請求項３の、鉄筋コンクリートだけに付いているもので、当然請求項１の建物（１）にも壁面があるが、この図面で書いてあるのは、鉄筋コンクリートの壁面（１ｄ）だけである。
窓（１ｅ）は、図９〜図１３に書かれているもので、壁面（１ｄ）が分かり難いので、窓（１ｅ）を書いただけで、本発明とは関係ない。
床レベル（１ｆ）は、壁面（１ｄ）と床面（２）が交わるところにあり、床面（２）をこの高さに貼ると、床面（２）の水平が保てる。そして床レベル（１ｆ）は、空気室（３）の容量になっている。また略凹型天井（６ａ）の場合の床レベル（１ｆ）は、略凹型天井（６ａ）の縁である。
【００８１】
床面（２）は、適度な硬さと弾力があり、大きく撓ることで、加わった圧力が広くなり、重たい重力を広い範囲で支え、その支えた力は圧力に変換して、天井（５）全体で支えることができる。 そしてフローリングは、１枚１枚を繋ぐために根太が必要であるが、それはフローリングを結ぶためのもので、支える力には関係ない。また、根太を取り付けるときに、空気室（３）を傷付けないように養生が必要である。
空気室（３）は、空気を入れた袋（３ａ）と圧力調整袋（３ｂ）の、全体を表すものである。
袋（３ａ）は、空気や不燃性ガスの窒素ガスなどを、袋（３ａ）の容量の半分だけ入れて、袋（３ａ）事態が加圧することがないようにしている。まるで、袋（３ａ）自体がない状態で、大きな袋（３ａ）一つでできているような状態を作る。
圧力調整袋（３ｂ）は、床面（２）を貼ってから、圧力調整袋（３ｂ）の中に空気を入れるものであり、圧力調整袋（３ｂ）の気圧は、空気室（３）全体の気圧と同じになる。
空気弁（３ｃ）は、自転車の逆し弁またはビーチボールの空気取入れ口のようなもので、圧力調整袋（３ｂ）から出た、空気の入り口全体を指す。その空気弁（３ｃ）は、２２５ｍｍＡｑ（Ｈ２Ｏ）くらいの圧力で、圧力が高くないので貧弱な物でもよい。
【００８２】
机（４）は、部屋が殺風景なので書き入れたが、図１５の重り（５）を支える机（４）の足は、床面（２）を押し下げている。
重り（５）は重量を加えたときに、どのようになるかを表すために、書いたものである。１０トンの重り（５）は、普通ありえない重さであるが、それを圧力に変換すると、ごく小さい圧力になることを説明したくて書いたものである。
天井（６）は、下の階から見ると天井（６）であるので、そのように名前を付けた。
略凹型天井（６ａ）は、橋と同じように中央は強度が少なく、その端は中央の重さも加わるため強度が強くなっており、横からの断面図は凹型になっているので略凹型天井（６ａ）とした。
鉄筋（６ｂ）は、鉄筋コンクリートの中に入れる鉄製に棒で、１．７％以下の炭素が混じっている。この図面では、図１４にしか鉄筋（６ｂ）は書いておらず、鉄筋（６ｂ）の下の丸は、図面の前後に伸びる鉄筋（６ｂ）の図面を表している。
型枠（６ｃ）は、コンクリートが固まるまでのもので、固まった後に取り除くものである。
ジャッキ（６ｄ）は、下から型枠（６ｃ）を支えるため、長さを調節するためにネジが付いており、支える力はあるが、そのもの自体には持ち上げる力はない。
符号ではないが、２２５ｍｍＡｑ（Ｈ２Ｏ）は、重り（５）を乗せたときの圧力で、水を２２．５センチ上げる力がある。人間は、おもいきり吹くと約３０００ｍｍＡｑ（Ｈ２Ｏ）の圧力がある。
【産業上の利用可能性】
【００８３】
（イ）高層ビルの床に本発明を使用すると、軽くすることができる。１平方メートルに対して、２０センチの床をコンクリートで作ると、５００キログラムの重さがあるが、本発明では、同じコンクリートでは１０センチの２５０キログラムで、波甲板では３ミリの厚みで２５キログラム以下にでき、高層建築には軽いことは、最大の利点である。
【００８４】
そのビルの８０％は床面（２）のために、強度を保っている。したがって、床面（２）が軽い空気の加圧補強をして、その軽さが２０分の１になったとすると、床面（２）を支えるために壁面も強度を強くする必要が無く、床面（２）が軽いと壁面も薄くでき、それを支える柱（１ａ）も軽くでき、建設費も安くできる。
【００８５】
耐震構造の偽装で、新しいビルが基準を達していないと、ビルを取り壊していたが、従来の床面を取り外してくりぬき、床面（２）を本発明のようにすると、最上階だけの改造で検査が通る。また、最上階だけの改造では、許可が降りない場合には、その次の階を改造する。
【００８６】
（ロ）床を体育館などに使用するときは、地面の上に空気室（３）の袋（３ａ）を多数詰め込み、最後の１個だけを圧力調整袋（３ｂ）とし、圧力を調整しながら空気を送ると、最初に入れた空気室（３）は横に押されて、空気室（３）全体も圧縮され、全体が空気によって加圧補強される。すると、床面（２）は空気室（３）の袋（３ａ）があるため、保温の役目を果たす。
【符号の説明】
【００８７】
１  建物        １ａ  柱        １ｂ  空気止        １ｃ  横柱
１ｄ  壁面      １ｅ  窓        １ｆ  床レベル
２  床面
３  空気室      ３ａ  袋        ３ｂ  圧力調整袋    ３ｃ  空気弁
４  机          ５  重り
６  天井        ６ａ  略凹型天井    ６ｂ  鉄筋      ６ｃ  型枠
６ｄ  ジャッキ
【要約】
【課題】    従来の建物の床は、物の重さによって下向きに歪みが生じていた。そのため、歪みが生じないため、根太の中央を大引けなどで補強をし、強度が強い物にしなければならなかった。そこで本発明は、重力を圧力に変換して、天井（６）全体で受け止める。
【解決手段】
本発明の床の加圧構造は、柱（１ａ）を建て、柱（１ａ）から柱（１ａ）に横柱（１ｃ）を通し、その横柱（１ｃ）の上に天井（６）を取り付ける。その天井（６）の上に空気室（３）を取り付け、その上に床面（２）を張り、空気室（３）の中の袋（３ａ）には空気が入れてある。
【選択図】図１【図１】
0005878665.tif 000002
【図２】
0005878665.tif 000003
【図３】
0005878665.tif 000004
【図４】
0005878665.tif 000005
【図５】
0005878665.tif 000006
【図６】
0005878665.tif 000007
【図７】
0005878665.tif 000008
【図８】
0005878665.tif 000009
【図９】
0005878665.tif 000010
【図１０】
0005878665.tif 000011
【図１１】
0005878665.tif 000012
【図１２】
0005878665.tif 000013
【図１３】
0005878665.tif 000014
【図１４】
0005878665.tif 000015
【図１５】
0005878665.tif 000016